(57)【要約】      （修正有）【課題】Ｎ型、ＳＭＡ型の規格品の雌コネクタワンタッチで結合できるワンタッチフルロックコネクタを提供する。【解決手段】中心コンタクト３、絶縁体４、シェル本体５を嵌装し、このシェル本体５にスリットを形成した内側シェル８を圧入して設け、この内側シェル８の外側にスライド可能な接続スリーブ１１を設けてある雄コネクタ１と、中心コンタクト２１、絶縁体２２、シェル本体２３を嵌装した雌コネクタ２とからなり、上記雄コネクタ１の内側シェル８の開放端に外側の膨出部１２と内側の膨出部１３を設け、上記接続スリーブ１１の内側に内側シェル８の外側の膨出部１２と協働して内側シェル８の開放端を内向きに変位するカム面１６を設けてある一方、雌コネクタ２にはその結合側表面に結合用ねじ２４を設けてあり、上記雄コネクタ１の内側シェル８の内側の膨出部１３を受け入れる凹溝２５を設けてあることを特徴とする。【選択図】図４
2011129390.tif 000002
【特許請求の範囲】
【請求項１】
中心コンタクトの外側に絶縁体を嵌装し、この絶縁体の外側にシェル本体を嵌装し、このシェル本体に円筒状であって間隔を置いて軸方向に沿うスリットを形成した内側シェルを圧入して設け、この内側シェルの外側にスライド可能な接続スリーブを設けてある雄コネクタと、
中心コンタクトの外側に絶縁体を嵌装し、絶縁体の外側にシェル本体を嵌装した雌コネクタとからなり、
上記雄コネクタの内側シェルの開放端に外側の膨出部と内側の膨出部を設け、上記接続スリーブの内側に内側シェルの外側の膨出部と協働して内側シェルの開放端を内向きに変位するカム面を設けてある一方、
雌コネクタにはその結合側表面に結合用ねじを設けてあり、上記雄コネクタの内側シェルの内側の膨出部を受け入れる凹溝を設けてあることを特徴とするワンタッチフルロックコネクタ。
【発明の詳細な説明】
【技術分野】
【０００１】
本発明は、Ｎ型、ＳＭＡ型の雌コネクタにも適用するワンタッチフルロックコネクタに関する。
【背景技術】
【０００２】
Ｎ型プラグ、ＳＭＡ型プラグは、既に公知であり、雌コネクタ及び雄コネクタをねじ結合する構成となっている。
【発明の開示】
【発明が解決しようとする課題】
【０００３】
上記Ｎ型プラグ、ＳＭＡ型プラグは、ねじ結合のため、経年により結合に緩みが生じ、設置時にテープ巻きをおこなっており、このテープ巻きの作業に時間がかかるという課題がある。また、ねじ結合のためねじの締め付けを管理するトルクレンチによる締め付け作業が必要であるという課題がある。
本発明は、上記課題に鑑み、Ｎ型、ＳＭＡ型の規格品の雌コネクタとワンタッチで結合できるワンタッチフルロックコネクタを提供することを目的とする。
【課題を解決するための手段】
【０００４】
そのために、本発明ワンタッチフルロックコネクタは、中心コンタクトの外側に絶縁体を嵌装し、この絶縁体の外側にシェル本体を嵌装し、このシェル本体に円筒状であって間隔を置いて軸方向に沿うスリットを形成した内側シェルを圧入して設け、この内側シェルの外側にスライド可能な接続スリーブを設けてある雄コネクタと、中心コンタクトの外側に絶縁体を嵌装し、絶縁体の外側にシェル本体を嵌装した雌コネクタとからなり、上記雄コネクタの内側シェルの開放端に外側の膨出部と内側の膨出部を設け、上記接続スリーブの内側に内側シェルの外側の膨出部と協働して内側シェルの開放端を内向きに変位するカム面を設けてある一方、雌コネクタにはその結合側表面に結合用ねじを設けてあり、上記雄コネクタの内側シェルの内側の膨出部を受け入れる凹溝を設けてあることを特徴とするものである。
【発明の効果】
【０００５】
本発明ワンタッチフルロックコネクタは、中心コンタクトの外側に絶縁体を嵌装し、この絶縁体の外側にシェル本体を嵌装し、このシェル本体に円筒状であって間隔を置いて軸方向に沿うスリットを形成した内側シェルを圧入して設け、この内側シェルの外側にスライド可能な接続スリーブを設けてある雄コネクタと、中心コンタクトの外側に絶縁体を嵌装し、絶縁体の外側にシェル本体を嵌装した雌コネクタとからなり、上記雄コネクタの内側シェルの開放端に外側の膨出部と内側の膨出部を設け、上記接続スリーブの内側に内側シェルの外側の膨出部と協働して内側シェルの開放端を内向きに変位するカム面を設けてある一方、雌コネクタにはその結合側表面に結合用ねじを設けてあり、上記雄コネクタの内側シェルの内側の膨出部を受け入れる凹溝を設けてあることを特徴とするから、Ｎ型、ＳＭＡ型の雌コネクタに本発明の雄コネクタをワンタッチで結合できる効果がある。
【図面の簡単な説明】
【０００６】
【図１】本発明ワンタッチフルロックコネクタの第一実施例の雄コネクタと雌コネクタを分離して示す斜視図である。
【図２】第一実施例の雄コネクタの半断面図である。
【図３】第一実施例の雌コネクタの半断面図である。
【図４】第一実施例の雄コネクタと雌コネクタの結合状態の判断面図である。
【図５】本発明ワンタッチフルロックコネクタの第二実施例の雄コネクタと雌コネクタを分離して示す斜視図である。
【図６】第二実施例の雄コネクタの半断面図である。
【図７】第二実施例の雌コネクタの半断面図である。
【図８】第二実施例の雄コネクタと雌コネクタの結合状態の判断面図である。
【発明を実施するための最良の形態】
【０００７】
図面に示した好ましい実施例により本発明の詳細を説明する。
図１乃至図４に本発明ワンタッチフルロックコネクタの第一実施例が示してある。図中符号１が雄コネクタであり、符号２が雌コネクタである。
雄コネクタ１は、図２の半断面図に示す通り、中央コンタクト３の外側に絶縁体４を嵌装してあり、この絶縁体４の外側にシェル本体５を嵌装してある。
このシェル本体５は図２に示すように筒状であり、一部が大径となっている大径部５ａを有する。このシェル本体５の後方の小径となっている小径部分５ｂの外側に、第二のシェル部材６が嵌装してある。この第二のシェル部材６には鍔部７を有する。また、シェル本体５の上記大径部５ａの前方には小径部分５ｃを有し、大径部５ａと小径部分５ｃの境界部分にＯリング１４を設けてある。
【０００８】
図中８が内側シェルで、この内側シェル８は円筒状であって、間隔を置いて、望ましくは等間隔のスリット９を雄コネクタの軸方向に沿うように形成してあり、このスリット９は内側シェル８の後端にまでは達しないように形成してある。即ち、この内側シェル８の後端にはスリット９は形成されていない。そして、このスリット９の形成されていない内側シェル８の後端をシェル本体５の大径部５ａの外側に圧入構成してあり、保持金具１０により保持してある。上記内側シェル８の開放端には、外側の膨出部１２と内側の膨出部１３を設けてある。
【０００９】
この内側シェル８の外側に接続スリーブ１１をスライド可能に設けてある。この接続スリーブ１１は、保持金具１０の外側にスライド可能に嵌装支持されている。この接続スリーブ１１の前端は内側に折曲した折曲前端１５を形成し、その僅か後方位置に内向きに傾斜するカム面１６を有し、折曲前端１５とカム面１６との間に形成された凹部に内側シェル８の前端の外側膨出部１２を受容するようにしてある。また、この接続スリーブ１１の後端には座金１８を固着してあり、その内側を第二のシェル部材６の表面にスライド可能に接触させてある。
【００１０】
図３に雌コネクタ２が示してあり、図３の半断面に示すように雌コネクタ２は、中心コンタクト２１の外側に絶縁体２２を嵌装してあり、この絶縁体２２の外側にシェル本体２３を嵌装してある。この雌コネクタ２はＮ型プラグ、ＳＭＡ型プラグに対応できるよう結合側先端部外側にねじ２４を設けてある。そしてこのシェル本体２３の中間位置の外側外周に凹溝２５を設けてあり、この凹溝２５に上記雄コネクタ１の内側シェル８の先端の内側膨出部１３が嵌りこみ、協働するようにしてある。シェル本体２３の上記凹溝２５より僅かに後方位置にＯリング２６を設けてある。
【００１１】
図２に示す雄コネクタ１は、雌コネクタ２に連結結合する前の状態が示してある。雄コネクタ１と雌コネクタ２とを連結結合するためには、雌コネクタ２に対してその外側に雄コネクタ１を嵌装するようにして連結する。即ち、雄コネクタ１の内側シェル８の外側膨出部１２が接続スリーブ１１の内側の凹部１７に入り込んでいる状態であるから、内側シェル８の開口端は拡がった状態にある。従って、雌コネクタ２が雄コネクタ１の開口から挿入される状態で雄コネクタ１を雌コネクタ２に嵌装できる。
【００１２】
このようにして、雄コネクタ１を雌コネクタ２に嵌装した状態で、接続スリーブ１１をシェル本体５及び内側シェル８に対して、図２上左方向にスライドすると、接続スリーブ１１の内面のカム面１６が内側シェル８の先端の外側の膨出部１２を乗り越え、内側シェル８の開放端を内向きに締め込む働きをし、内側シェル８の開放端の内側の膨出部１３が雌コネクタ２の凹溝２５に嵌り込み、雄コネクタ１と雌コネクタ２とは連結結合する。この際図４に示すように、接続スリーブ１１の後端の座金１８が保持金具１０に当接すると共に、雌コネクタ２の先端が雄コネクタ１のＯリング１４に圧接し、これによりコネクタの水密が確保される。
【００１３】
図５乃至図８に本願発明のワンタッチフルロックコネクタの第二の実施例を示してある。この第二の実施例は、第一の実施例とほとんど同様の構成であり、細部の部材に多少の相違があるだけである。従って、この図５乃至図８に示した符号の部材は図１乃至図４に示した第一の実施例と同じ部材である。そして、雄コネクタ１と雌コネクタ２の連結結合も第一の実施例と全く同様である。
【符号の説明】
【００１４】
１  雄コネクタ
２  雌コネクタ
３  中央コンタクト
４  絶縁体
５  シェル本体
６  第二のシェル部材
７  鍔部
８  内側シェル
９  スリット
１０  保持金具
１１  接続スリーブ
１２  外側の膨出部
１３  内側の膨出部
１４  Ｏリング
１５  折曲前端
１６  カム面
１７  凹部
１８  座金
２１  中心コンタクト
２２  絶縁体
２３  シェル本体
２４  凹溝
２５  Ｏリング
【図１】
2011129390.tif 000003
【図２】
2011129390.tif 000004
【図３】
2011129390.tif 000005
【図４】
2011129390.tif 000006
【図５】
2011129390.tif 000007
【図６】
2011129390.tif 000008
【図７】
2011129390.tif 000009
【図８】
2011129390.tif 000010